(57)【要約】【課題】乗りかご内に配置される開釦が作動不全状態であることを検出することができるエレベータの故障診断装置の提供。【解決手段】本発明に係るエレベータの故障診断装置は、エレベータ監視装置３０の監視装置制御部３２が、乗りかご２０のドア２１を再開させる開釦操作検出手段を含んでいる。また、監視装置制御部３２は、荷重センサ２５が予め定めた乗員数以上の荷重を検出し、かつドアセンサ２６が障害物を検出し、かつ開釦操作検出手段が動作しない場合の回数を設定期間ごとに計数する計数手段と、この計数手段による前回の計数値と今回の計数値とに基づいて、今回の計数値と前回の計数値の差を演算する計数値比較手段と、この計数値比較手段で、前述した差が予め定められる所定値以上かどうか判別し、所定値以上であると判別したときに、開釦２４が作動不全状態と判定する判定手段とを含んでいる。【選択図】図１
2014055038.tif 000002
【特許請求の範囲】
【請求項１】
エレベータの乗りかご内に配置され、ドアを開く開釦の故障を診断するエレベータの故障診断装置において、
前記乗りかご内の荷重を検出する荷重センサと、
前記乗りかごのドアが閉じるときに障害物を検出するドアセンサと、
前記乗りかごの前記ドアを再開させる開釦の操作を検出する開釦操作検出手段を含む監視装置制御部を有するエレベータ監視装置とを備えるとともに、
前記エレベータ監視装置の前記監視装置制御部は、
前記荷重センサが予め定めた乗員数以上の荷重を検出し、かつ前記ドアセンサが障害物を検出し、かつ前記開釦操作検出手段が動作しない場合の回数を設定期間ごとに計数する計数手段と、
前記計数手段による前回の計数値と今回の計数値とに基づいて、今回の計数値と前回の計数値の差を演算する計数値比較手段と、
前記計数値比較手段で、前記差が予め定められる所定値以上かどうか判別し、所定値以上であると判別したときに、前記開釦が作動不全状態にあると判定する判定手段とを含むことを特徴とするエレベータの故障診断装置。
【発明の詳細な説明】
【技術分野】
【０００１】
本発明は、エレベータの乗りかご内に配置され、ドアを開く開釦の故障を検出するエレベータの故障診断装置に関する。
【背景技術】
【０００２】
この種の従来技術として特許文献１に示されるものがある。この従来技術は、各サービス階床におけるエレベータの乗りかごドアの開閉時間を計測する開閉時間計測手段を備えている。また、この開閉時間計測手段で計測された開閉時間と、予め設定される標準開閉時間とを比較し、計測された開閉時間と標準開閉時間とが同一でない場合にドア開釦もしくはドア閉釦の操作回数として計数する比較手段と、乗りかごドアの開閉回数を計数する開閉回数計数手段とを備えている。また、比較手段で計数されたドア開釦もしくはドア閉釦の操作回数と開閉回数計数手段で計数されたドアの開閉回数との計数比率を設定期間ごとに演算する演算手段と、この演算手段で得られる計数比率が零の場合にドア開釦及びドア閉釦の少なくとも一方の異常と判定する判定手段とを備えている。
【先行技術文献】
【特許文献】
【０００３】
【特許文献１】特許第２８７８５２４号公報
【発明の概要】
【発明が解決しようとする課題】
【０００４】
前述の特許文献１に示される従来技術では、開釦、閉釦の少なくとも一方に異常が生じていると判定することはできるが、異常を生じている釦、すなわち作動不全状態となっている釦が開釦であるかどうかを特定できない問題があった。
【０００５】
本発明は、前述した従来技術における実状からなされたもので、その目的は、乗りかご内に配置される開釦が作動不全状態であることを検出することができるエレベータの故障診断装置を提供することにある。
【課題を解決するための手段】
【０００６】
前記目的を達成するために、本発明に係るエレベータの故障診断装置は、エレベータの乗りかご内に配置され、ドアを開く開釦の故障を診断するエレベータの故障診断装置において、前記乗りかご内の荷重を検出する荷重センサと、前記乗りかごのドアが閉じるときに障害物を検出するドアセンサと、前記乗りかごの前記ドアを再開させる開釦の操作を検出する開釦操作検出手段を含む監視装置制御部を有するエレベータ監視装置とを備えるとともに、前記エレベータ監視装置の前記監視装置制御部は、前記荷重センサが予め定めた乗員数以上の荷重を検出し、かつ前記ドアセンサが障害物を検出し、かつ前記開釦操作検出手段が動作しない場合の回数を設定期間ごとに計数する計数手段と、前記計数手段による前回の計数値と今回の計数値とに基づいて、今回の計数値と前回の計数値の差を演算する計数値比較手段と、前記計数値比較手段で、前記差が予め定められる所定値以上かどうか判別し、所定値以上であると判別したときに、前記開釦が作動不全状態にあると判定する判定手段とを含むことを特徴としている。
【発明の効果】
【０００７】
本発明によれば、エレベータ監視装置の監視装置制御部に含まれる計数手段と計数値比較手段と判定手段の動作によって、乗りかご内に設けられる開釦が作動不全状態であることを検出することができる。すなわち、特別な装置を要することなく、監視装置制御部における制御処理によって開釦の作動不全状態を安価に検出することができる。
【図面の簡単な説明】
【０００８】
【図１】本発明に係るエレベータの故障診断装置の一実施形態の構成を示す図である。
【図２】本実施形態に備えられるエレベータ監視装置の監視装置制御部に含まれる計数手段の計数動作に至るまでの手順を示すフローチャートである。
【図３】本実施形態に備えられるエレベータ監視装置の監視装置制御部に含まれる計数値比較手段及び判定手段の動作を示すフローチャートである。
【発明を実施するための形態】
【０００９】
以下、本発明に係るエレベータの故障診断装置の実施の形態を図に基づいて説明する。
【００１０】
図１は本発明に係るエレベータの故障診断装置の一実施形態の構成を示す図である。
【００１１】
本実施形態に係る故障診断装置が備えられるエレベータは、同図１に示すように、乗りかご２０と、乗客が乗り降りするためのドア２１と、ドア２１が開端まで開いたことを検出する開端検出装置２２と、ドア２１が閉じきったことを検出する閉端検出装置２３を備えている。乗りかご２０内には、ドア２１を開く開釦２４が設けられている。
【００１２】
また、このエレベータは、エレベータ制御装置１０を備えている。このエレベータ制御装置１０は、エレベータ制御部１１と送受信部１２とを含んでいる。エレベータ制御部１１は、乗りかご２０に設置された開端検出装置２２、閉端検出装置２３、開釦２４等から出力される各種信号が入力され、ドア２１の開閉を制御する。送受信部１２は、後述のエレベータ監視装置３０からの指令を受信するとともに、エレベータ制御部１１が取得したエレベータの各種信号情報を後述のエレベータ監視装置３０に送信する。
【００１３】
本実施形態に係る故障診断装置は、乗りかご２０内の荷重を検出する荷重センサ２５と、乗りかご２０のドア２１が閉じるときに障害物を検出するドアセンサ２６とを備えている。これらの荷重センサ２５及びドアセンサ２６の検出信号は、エレベータ制御装置１０のエレベータ制御部１１に出力される。また、本実施形態は、乗りかご２０及びエレベータ制御装置１０に対して遠隔的に配置され、乗りかご２０のドア２１を再開させる開釦２４の操作を検出する開釦操作検出手段を含む監視制御部３２を有するエレベータ監視装置３０を備えている。
【００１４】
エレベータ監視装置３０は、前述した監視装置制御部３２の他に、エレベータ制御装置１０の送受信部１２との間で信号の送受信を行う送受信部３３と、記憶部３１と、通信部３４とを含んでいる。これらの送受信部３３、記憶部３１、及び通信部３４は、監視装置制御部３２に接続されている。
【００１５】
エレベータ監視装置３０の通信部３４は、通信回線５０を介して監視センタ４０に接続されている。
【００１６】
前述したエレベータ監視装置３０の監視装置制御部３２は、前述した開釦操作検出手段の他に、荷重センサ２５が予め定めた乗員数以上の荷重を検出し、かつドアセンサ２６が障害物を検出し、かつ開釦操作検出手段が動作しない場合の回数を設定期間ごとに、例えば１ヶ月ごとに計数する、すなわちカウントする計数手段を含んでいる。また、監視装置制御部３２は、前述の計数手段による前回の計数値と今回の計数値とに基づいて、今回の計数値と前回の計数値の差を演算する計数値比較手段を含んでいる。さらに、監視装置制御部３２は、前述の計数値比較手段で、前述の差が予め定められる所定値以上かどうか判別し、所定値以上であると判別したときに、開釦２４が作動不全状態にあると判定する判定手段を含んでいる。なお、前述の所定値は、例えば実験的に、あるいは経験的に求められるもので、開釦２４が作動不全状態にあると見なし得る最小の値である。
【００１７】
以下、本実施形態の動作について説明する。
【００１８】
図２は本実施形態に備えられるエレベータ監視装置の監視装置制御部に含まれる計数手段の計数動作に至るまでの手順を示すフローチャートである。
【００１９】
乗りかご２０が乗客を乗せて走行し所定階床に到着して停止した際には、乗客が降りるためにドア２１が開く。本実施形態に備えられるエレベータ監視装置３０の監視装置制御部３２は、ドア２１が開端まで開いたときに作動する開端検出装置２２の作動状態を、エレベータ制御装置１０の送受信部１２を介して送信される信号によって監視し、作動しない場合（図２のステップＳ１でＮＯ）は、再度ステップ１を実施する。
【００２０】
作動した場合（ステップＳ１でＹＥＳ）は、ドア２１が全開状態にあると判断し、ステップＳ２に進む。
【００２１】
ステップＳ２では、乗りかご２０内に、予め定めた以上の乗員が乗り込んでいるかどうか、送受信部１２を介して出力される荷重センサ２５からの信号によって確認し、満たない場合（ステップＳ２でＮＯ）は、処理を終了する。
【００２２】
荷重センサ２５の出力から、予め定めた以上の乗員が乗り込んでいると判断された場合（ステップＳ２でＹＥＳ）、ステップＳ３に進み、ドア閉指令信号の出力状態を監視し、出力されていない場合（ステップＳ３でＮＯ）、再度ステップＳ３を実施する。ドア閉指令信号が出力された場合（ステップＳ３でＹＥＳ）、ステップＳ４へ進む。
【００２３】
ステップＳ４では、送受信部１２を介して出力されるドアセンサ２６からの信号によって、ドアセンサ２６の作動状態を監視する。ドアセンサ２６が作動した場合（ステップＳ４でＹＥＳ）、ステップＳ５へ進み、閉端検出装置２３の作動状態を監視する。ステップＳ５で閉端検出装置２３が作動していないと判別されたとき（ステップＳ５でＮＯ）、ステップＳ４に戻る。すなわち、ドア２１が閉じきるまで監視が続けられる。閉端検出装置２３が作動した場合（ステップＳ５でＹＥＳ）、処理を終了する。
【００２４】
ステップＳ６では、この監視装置制御部３２に含まれる開釦操作検出手段によって開釦２４の作動状態が監視される。開釦２４が作動した場合（ステップＳ６でＹＥＳ）には処理を終了する。作動しない場合（ステップＳ６でＮＯ）にはステップＳ７へ進む。
【００２５】
ステップＳ７では、閉端検出装置２３の作動状態を監視し、作動しない場合（ステップＳ７でＮＯ）には、ステップＳ６に戻る。すなわち、ドア２１が閉じきるまで監視が続けられる。ステップＳ７で閉端検出装置２３が作動した場合（ステップＳ７でＹＥＳ）、ステップＳ８へ進む。
【００２６】
ステップＳ８では、開釦作動不全カウンタをカウントアップして、この結果を記憶部３１へ記憶させることが行われる。すなわち、監視装置制御部３２に含まれ、開釦作動不全カウンタを構成する前述の計数手段によって計数された設定期間、例えば１ヶ月間の開釦２４の作動不全となった回数が、記憶部３１に記憶される。
【００２７】
図３は、本実施形態に備えられるエレベータ監視装置の監視装置制御部に含まれる計数値比較手段及び判定手段の動作を示すフローチャートである。
【００２８】
例えば月末等の所定の時期に、エレベータ監視装置３０の監視装置制御部３２に含まれる計数値比較手段によって、計数手段で計数された今回の計数値と前回の計数値とが記憶部３１から読み出され、今回の計数値と前回の計数値との差を求める演算が行われる。すなわち図３の手順Ｓ１１に示すように、今月分の開釦不全動作カウンタ値と、先月分の開釦作動不全カウンタ値との差を求める演算が行われる。また、監視装置制御部３２に含まれる判定手段によって、前述した差が所定値以上かどうか判別される。前述した差が所定値に満たないと判別された場合（ステップＳ１１でＮＯ）には、処理を終了する。すなわち、開釦２４は正常であると見なされ、この開釦２４の作動確認は不要となる。
【００２９】
前述した差が所定値以上と判別された場合（ステップＳ１１でＹＥＳ）には、この判別手段によって開釦２４が作動不全状態にあると判定される。この判定がなされたとき例えば、ステップＳ１２において、監視装置制御部３２から通信部３４、通信回線５０を介して監視センタ４０に、開釦２４の作動不全が検出された旨が通報される。
【００３０】
通報を受信した監視センタ４０のオペレータは、当該エレベータの保守担当者に開釦２４の作動確認を行うように指示を出す。保守担当者は、開釦２４の作動を確認し、必要があれば開釦２４の交換等の作業を行う。
【００３１】
以上のように構成した本実施形態に係る故障診断装置によれば、前述のようにエレベータ監視装置３０の監視装置制御部３２に含まれる計数手段と計数値比較手段と判定手段の動作によって、乗りかご２０内に設けられる開釦２４が作動不全状態であることを検出することができる。すなわち、特別な装置を要することなく、監視装置制御部３２における制御処理によって開釦２４の作動不全状態を安価に検出することができる。
【００３２】
なお、前述の実施形態では、エレベータ監視装置３０の監視装置制御部３２に含まれる判定手段で、開釦２４が作動不全状態にあると判定されたときに、監視装置制御部３２から通信部３４を介して監視センタ４０に開釦２４が作動不全状態にあることを通報する構成にしてあるが、本発明は、このように構成することには限られない。例えば、監視センタ４０からの開釦２４の作動不全確認要求信号に応じて、エレベータ監視装置３０の監視装置制御部３２に含まれる計数値比較手段及び判定手段が作動し、その判定結果を通信回線５０を介して監視センタ４０に送信するように構成してもよい。
【符号の説明】
【００３３】
１０    エレベータ制御装置
１１    エレベータ制御部
１２    送受信部
２０    乗りかご
２１    ドア
２２    開端検出装置
２３    閉端検出装置
２４    開釦
２５    荷重センサ
２６    ドアセンサ
３０    エレベータ監視装置
３１    記憶部
３２    監視装置制御部
３３    送受信部
３４    通信部
４０    監視センタ
５０    通信回線    
【図１】
2014055038.tif 000003
【図２】
2014055038.tif 000004
【図３】
2014055038.tif 000005